(57)【特許請求の範囲】
【請求項１】
入稿前におけるコンテンツの事前審査の依頼を受け付ける受付部と、
所定の基準による前記コンテンツの事前審査の結果に関する情報を、当該結果を示す付与情報であって、視認可能ではない付与情報が付加された前記コンテンツとともに提示する提示部と、
前記提示部により提示された情報に基づいて変更された前記コンテンツの入稿を受け付ける入稿受付部と、
を備えることを特徴とする審査システム。
【請求項２】
前記受付部は、
所定の表示領域に表示される前記コンテンツの事前審査の依頼を受け付ける
ことを特徴とする請求項１に記載の審査システム。
【請求項３】
前記提示部は、
前記コンテンツの事前審査の結果に関する情報として、前記コンテンツの事前審査内容に応じて複数の不可理由から選択される不可理由を提示する
ことを特徴とする請求項１または請求項２に記載の審査システム。
【請求項４】
前記提示部は、
前記コンテンツに関する審査履歴に基づく前記コンテンツの事前審査の結果に関する情報を提示する
ことを特徴とする請求項１〜３のいずれか１項に記載の審査システム。
【請求項５】
前記提示部は、
前記コンテンツが類似する類似コンテンツに関する審査履歴に基づく前記コンテンツの事前審査の結果に関する情報を提示する
ことを特徴とする請求項１〜４のいずれか１項に記載の審査システム。
【請求項６】
前記受付部は、
動画または画像を含む前記コンテンツの事前審査の依頼を受け付ける
ことを特徴とする請求項１〜５のいずれか１項に記載の審査システム。
【請求項７】
前記受付部は、
遷移先を含む前記コンテンツの事前審査の依頼を受け付け、
前記提示部は、
前記遷移先を含む前記コンテンツに関する審査履歴に基づく前記コンテンツの事前審査の結果に関する情報を提示する
ことを特徴とする請求項１〜６のいずれか１項に記載の審査システム。
【請求項８】
前記コンテンツの審査結果に関する情報であって、他サービスにおいて前記審査結果を利用可能にする情報を前記コンテンツに付加する付加部
をさらに備えたことを特徴とする請求項１〜７のいずれか１項に記載の審査システム。
【請求項９】
前記受付部は、
前記コンテンツとして広告の事前審査の依頼を受け付ける
ことを特徴とする請求項１〜８のいずれか１項に記載の審査システム。
【請求項１０】
前記受付部は、
複数のコンテンツの事前審査の依頼を受け付ける
ことを特徴とする請求項１〜９のいずれか１項に記載の審査システム。
【請求項１１】
入稿されたコンテンツである入稿コンテンツの審査結果を通知する通知部と、
をさらに備えたことを特徴とする請求項１〜１０のいずれか１項に記載の審査システム。
【請求項１２】
前記通知部は、
前記入稿コンテンツに関する事前審査履歴に基づいて、前記入稿コンテンツを審査した審査結果に関する情報を通知する
ことを特徴とする請求項１１に記載の審査システム。
【請求項１３】
前記通知部は、
過去の審査履歴に基づいて、前記入稿コンテンツを審査した審査結果に関する情報を通知する
ことを特徴とする請求項１１または請求項１２に記載の審査システム。
【請求項１４】
前記通知部は、
前記入稿コンテンツが類似する類似コンテンツに関する審査履歴に基づいて、前記入稿コンテンツを審査した審査結果に関する情報を通知する
ことを特徴とする請求項１１〜１３のいずれか１項に記載の審査システム。
【請求項１５】
コンピュータが実行する審査方法であって、
入稿前におけるコンテンツの事前審査の依頼を受け付ける受付工程と、
所定の基準による前記コンテンツの事前審査の結果に関する情報を、当該結果を示す付与情報であって、視認可能ではない付与情報が付加された前記コンテンツとともに提示する提示工程と、
前記提示工程により提示された情報に基づいて変更された前記コンテンツの入稿を受け付ける入稿受付工程と、
を含むことを特徴とする審査方法。
【請求項１６】
入稿前におけるコンテンツの事前審査の依頼を受け付ける受付手順と、
所定の基準による前記コンテンツの事前審査の結果に関する情報を、当該結果を示す付与情報であって、視認可能ではない付与情報が付加された前記コンテンツとともに提示する提示手順と、
前記提示手順により提示された情報に基づいて変更された前記コンテンツの入稿を受け付ける入稿受付手順と、
をコンピュータに実行させることを特徴とする審査プログラム。
【発明の詳細な説明】
【技術分野】
【０００１】
本発明は、審査システム、審査方法、及び審査プログラムに関する。
【背景技術】
【０００２】
従来、コンテンツを所定の基準に基づいて評価する技術が提供されている。例えば、画像等を含むコンテンツの入稿を受け付け、受け付けたコンテンツについて所定の基準に基づいて審査を行う技術が提供されている。
【先行技術文献】
【特許文献】
【０００３】
【特許文献１】特開２００９−２７１６６１号公報
【発明の概要】
【発明が解決しようとする課題】
【０００４】
しかしながら、上記の従来技術では、コンテンツを入稿するまでそのコンテンツが審査に関する基準を満たすかをコンテンツの提供元が把握することが難しい。また、例えば、コンテンツの入稿後に審査不許可となった場合、再度コンテンツを作り直す必要が生じるため、コンテンツ作成者の負担が増大するという問題がある。
【０００５】
本願は、上記に鑑みてなされたものであって、コンテンツ作成者の負担の増大を抑制する審査システム、審査方法、及び審査プログラムを提供することを目的とする。
【課題を解決するための手段】
【０００６】
本願に係る審査システムは、入稿前におけるコンテンツの事前審査の依頼を受け付ける受付部と、所定の基準による前記コンテンツの事前審査の結果に関する情報を提示する提示部と、前記提示部により提示された情報に基づいて変更された前記コンテンツの入稿を受け付ける入稿受付部と、を備えたことを特徴とする。
【発明の効果】
【０００７】
実施形態の一態様によれば、コンテンツ作成者の負担の増大を抑制することができるという効果を奏する。
【図面の簡単な説明】
【０００８】
【図１】図１は、実施形態に係る審査処理の一例を示す図である。
【図２】図２は、実施形態に係る事前審査装置の構成例を示す図である。
【図３】図３は、実施形態に係る審査履歴情報記憶部の一例を示す図である。
【図４】図４は、実施形態に係る不可理由情報記憶部の一例を示す図である。
【図５】図５は、実施形態に係る広告配信装置の構成例を示す図である。
【図６】図６は、実施形態に係る広告情報記憶部の一例を示す図である。
【図７】図７は、実施形態に係る事前審査処理の一例を示すフローチャートである。
【図８】図８は、実施形態に係る入稿時の審査処理の一例を示すフローチャートである。
【図９】図９は、実施形態に係る複数コンテンツの事前審査処理の一例を示す図である。
【図１０】図１０は、実施形態に係る事前審査時における審査者を介した処理の一例を示す図である。
【図１１】図１１は、変形例に係る審査処理の一例を示す図である。
【図１２】図１２は、変形例に係る事前審査装置の構成例を示す図である。
【図１３】図１３は、事前審査装置及び広告配信装置の機能を実現するコンピュータの一例を示すハードウェア構成図である。
【発明を実施するための形態】
【０００９】
以下に、本願に係る審査システム、審査方法、及び審査プログラムを実施するための形態（以下、「実施形態」と呼ぶ）について図面を参照しつつ詳細に説明する。なお、この実施形態により本願に係る審査システム、審査方法、及び審査プログラムが限定されるものではない。また、以下の各実施形態において同一の部位には同一の符号を付し、重複する説明は省略される。
【００１０】
（実施形態）
〔１．審査処理〕
まず、図１を用いて、実施形態に係る審査処理の一例について説明する。図１は、実施形態に係る審査処理の一例を示す図である。図１に示す審査システム１において、事前審査装置１００は、入稿前におけるコンテンツ（以下、「入稿前コンテンツ」とする場合がある）の事前審査を行うサービスを提供する。具体的には、事前審査装置１００は、広告配信装置２００へ入稿前コンテンツの事前審査を行う。なお、図１に示す例では、審査システム１において、事前審査装置１００がコンテンツとして広告を事前審査し、広告配信装置２００が事前審査装置１００により事前審査された広告の入稿を受け付ける。そして、審査システム１において、広告配信装置２００が所定の審査者に入稿後の広告の審査を行わせ、審査者による審査を通過した広告を配信する例を示す。以下では、入稿前における広告を入稿前広告とする場合がある。
【００１１】
図１に示すように、審査システム１には、ユーザ端末１０と、広告主端末２０と、審査者端末３０と、事前審査装置１００と、広告配信装置２００とが含まれる。ユーザ端末１０と、広告主端末２０と、審査者端末３０と、事前審査装置１００と、広告配信装置２００とは図示しない所定のネットワークＮ（図１３参照）を介して、有線または無線により通信可能に接続される。なお、図１に示した審査システム１には、複数台のユーザ端末１０や、複数台の広告主端末２０や、複数台の審査者端末３０や、複数台の事前審査装置１００や、複数台の広告配信装置２００が含まれてもよい。
【００１２】
ユーザ端末１０は、ユーザによって利用される情報処理装置である。ユーザ端末１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。なお、以下では、ユーザ端末１０をユーザと表記する場合がある。すなわち、以下では、ユーザをユーザ端末１０と読み替えることもできる。
【００１３】
広告主端末２０は、広告主によって利用される情報処理装置である。広告主端末２０は、例えば、スマートフォンや、タブレット型端末や、ノート型ＰＣや、デスクトップＰＣや、携帯電話機や、ＰＤＡ等により実現される。なお、以下では、広告主端末２０を広告主と表記する場合がある。すなわち、以下では、広告主を広告主端末２０と読み替えることもできる。また、広告主は、事前審査作業や入稿作業等を広告作成者や代理店等に依頼する場合もある。以下では、「広告主」といった表記は、広告主だけでなく広告作成者や代理店を含む概念であるものとする。
【００１４】
広告主端末２０は、事前審査装置１００に入稿前における広告の事前審査を依頼する。そして、広告主端末２０は、事前審査装置１００から広告の事前審査結果の提示を受ける。また、広告主端末２０は、広告配信装置２００に広告を入稿する。そして、広告主端末２０は、広告配信装置２００から広告の審査結果の通知を受ける。
【００１５】
審査者端末３０は、審査者によって利用される情報処理装置である。審査者端末３０は、例えば、スマートフォンや、タブレット型端末や、ノート型ＰＣや、デスクトップＰＣや、携帯電話機や、ＰＤＡ等により実現される。なお、以下では、審査者端末３０を審査者と表記する場合がある。すなわち、以下では、審査者を審査者端末３０と読み替えることもできる。審査者端末３０は、広告配信装置２００から入稿後の広告の審査の依頼を受け付ける。そして、審査者端末３０は、審査者による審査結果を広告配信装置２００に送信する。
【００１６】
事前審査装置１００は、入稿前コンテンツの事前審査を行うサービスを提供する情報処理装置である。また、事前審査装置１００は、所定の基準による広告の事前審査の結果に関する情報を提示する。例えば、事前審査装置１００は、広告主端末２０から入稿前における広告の事前審査の依頼を受け付けた場合、受け付けた広告の事前審査の結果に関する情報を広告主端末２０に提示する。なお、図１では、事前審査装置１００は、所定のルールに基づいて事前審査を行う場合を示す。また、事前審査装置１００が所定の審査者ＥＭ１に事前審査を依頼する場合は後述する。なお、ここで言う所定の基準とは、広告を配信する広告配信装置２００における基準であってもよいし、事前審査装置１００における事前審査の基準であってもよい。
【００１７】
広告配信装置２００は、コンテンツである広告の入稿を受け付ける情報処理装置である。また、広告配信装置２００は、入稿を受け付けた広告の審査を行う入稿時審査装置である。また、広告配信装置２００は、入稿時審査の結果が許可である広告をユーザ端末１０へ配信する広告配信装置である。なお、図１では説明の簡略化のため、広告配信装置２００が入稿時審査及び広告配信を行う場合を示すが、入稿時審査を行う装置と広告配信を行う装置とは別装置であってもよい。この場合、広告配信を行う装置は、例えば、入稿時審査を行う装置が審査において許可した広告を配信する。
【００１８】
図１に示すように、広告主ＡＣ１は、入稿前広告ＰＧ１０の事前審査の依頼を事前審査装置１００へ行う（ステップＳ１０）。例えば、広告主ＡＣ１は、入稿前広告ＰＧ１０を事前審査装置１００へ送信することにより、入稿前広告ＰＧ１０の事前審査の依頼を事前審査装置１００へ行う。また、例えば、広告主ＡＣ１は、例えばデザイン会社等のコンテンツ作成者に依頼して入稿前広告ＰＧ１０を作成する。すなわち、ステップＳ１０において、コンテンツ作成者が入稿前広告ＰＧ１０の事前審査の依頼を事前審査装置１００へ行ってもよい。
【００１９】
その後、事前審査装置１００は、入稿前広告ＰＧ１０の事前審査を行う（ステップＳ１１）。例えば、事前審査装置１００は、審査履歴情報記憶部１２１に記憶された過去の事前審査の履歴情報に基づいて、入稿前広告ＰＧ１０を事前審査する。例えば、審査履歴情報記憶部１２１には、過去にＮＧ理由「薬事」でＮＧ（不可）となった広告ＲＧ１１や、過去にＮＧ理由「著作権」でＮＧになった広告ＲＧ１２等の過去の事前審査の履歴情報が記憶されている。なお、ＮＧ理由は、上記に限らず、例えば、公序良俗など目的に応じて種々のＮＧ理由が用いられてもよい。また、例えば、事前審査装置１００は、過去の事前審査の履歴情報と入稿前広告ＰＧ１０とを対比することにより、入稿前広告ＰＧ１０を事前審査する。なお、事前審査装置１００は、禁止用語に関する情報や著作権等が発生しているキャラクタ等に関する情報に基づいて、入稿前広告ＰＧ１０を事前審査してもよい。
【００２０】
ここで、図１では、入稿前広告ＰＧ１０に他人が著作権を有するキャラクタＣＷ１０が含まれるものとして以下説明する。具体的には、事前審査装置１００は、入稿前広告ＰＧ１０には、ＮＧ理由「著作権」でＮＧになった広告ＲＧ１２と同じキャラクタＣＷ１０が含まれるとして、入稿前広告ＰＧ１０を事前審査不可と判定する。そのため、事前審査装置１００は、広告主ＡＣ１に入稿前広告ＰＧ１０の事前審査が不可であったことを提示する。
【００２１】
ここで、図１では、事前審査装置１００は、広告の事前審査の可否と併せて、広告の事前審査内容に応じて複数の不可理由から選択される不可理由を提示する。具体的には、事前審査装置１００は、不可理由情報記憶部１２２に記憶された複数の不可理由から選択される不可理由を提示する。具体的には、事前審査装置１００は、広告ＲＧ１２の不可理由と同じ理由を広告主ＡＣ１に提示する。すなわち、事前審査装置１００は、理由ＩＤ「ＲＳ１２」により識別される理由「著作権」の提示文「他人の著作物を含んでいる可能性があります。」を広告主ＡＣ１に提示する。
【００２２】
図１では、事前審査装置１００は、事前審査の結果が不可であること、理由ＩＤ「ＲＳ１２」の提示文、及び同じ理由でＮＧとなった広告ＲＧ１２を、事前審査結果ＲＲ１１として広告主ＡＣ１に提示する（ステップＳ１２）。具体的には、事前審査装置１００は、事前審査結果ＲＲ１１を広告主ＡＣ１が利用する広告主端末２０に送信する。これにより、広告主ＡＣ１は、どのような理由で入稿前広告ＰＧ１０が事前審査において不可と判定されたかを把握できる。すなわち、広告主ＡＣ１は、入稿前広告ＰＧ１０を適切に変更して、入稿時審査を通過できるような広告を作成することが可能となる。また、事前審査装置１００は、不可理由情報記憶部１２２に記憶された複数の理由から、コンテンツの事前審査内容に基づいて選択した不可理由を提示することにより、理由を提示するための負荷を低減することができる。
【００２３】
その後、広告主ＡＣ１は、提示された事前審査結果ＲＲ１１に基づいて、入稿前広告ＰＧ１０を変更する（ステップＳ１３）。図１では、広告主ＡＣ１は、事前審査結果ＲＲ１１に基づいて、入稿前広告ＰＧ１０に含まれるキャラクタＣＷ１０を除くことにより、入稿前広告ＰＧ１０を変更後広告ＰＧ１１に変更する。すなわち、広告主ＡＣ１は、不可理由や同じ理由でＮＧとなった広告ＲＧ１２により、入稿前広告ＰＧ１０にキャラクタＣＷ１０が含まれることが事前審査を通過できなかった理由と判断し、入稿前広告ＰＧ１０からキャラクタＣＷ１０を除く。そして、広告主ＡＣ１は、ステップＳ１３において変更した変更後広告ＰＧ１１を広告配信装置２００へ入稿する（ステップＳ１４）。
【００２４】
その後、広告配信装置２００は、入稿を受け付けた変更後広告ＰＧ１１に関する事前審査情報を事前審査装置１００へ要求する（ステップＳ１５）。例えば、広告配信装置２００は、広告主ＡＣ１を識別する情報や変更後広告ＰＧ１１に関する商品等に基づいて、変更後広告ＰＧ１１に関する事前審査情報を事前審査装置１００へ要求してもよい。また、例えば、広告配信装置２００は、変更後広告ＰＧ１１の入稿の際に、広告主ＡＣ１から変更後広告ＰＧ１１とともに入稿前広告ＰＧ１０を識別する情報を受け付けて、その情報により変更後広告ＰＧ１１に関する事前審査情報を事前審査装置１００へ要求してもよい。
【００２５】
広告配信装置２００から事前審査情報を要求された事前審査装置１００は、広告配信装置２００へ入稿前広告ＰＧ１０の事前審査情報を送信する（ステップＳ１６）。具体的には、事前審査装置１００は、入稿前広告ＰＧ１０自体（つまり画像）や入稿前広告ＰＧ１０の不可理由等を、入稿前広告ＰＧ１０の事前審査情報として広告配信装置２００へ送信する。
【００２６】
事前審査装置１００から事前審査情報を受け付けた広告配信装置２００は、所定の審査者ＥＭ１に審査を依頼する（ステップＳ１７）。具体的には、広告配信装置２００は、変更後広告ＰＧ１１、入稿前広告ＰＧ１０、及びその不可理由等を審査者ＥＭ１が利用する審査者端末３０に送信し、変更後広告ＰＧ１１の審査を依頼する。
【００２７】
広告配信装置２００から審査の依頼を受け付けた審査者ＥＭ１は、所定の基準に基づいて変更後広告ＰＧ１１を審査する。例えば、審査者ＥＭ１は、入稿前広告ＰＧ１０やその不可理由等を参照しながら、変更後広告ＰＧ１１が入稿前広告ＰＧ１０からどのように変更されたかを確認し、審査を行う。その後、審査者ＥＭ１は、変更後広告ＰＧ１１の審査結果を広告配信装置２００へ送信する（ステップＳ１８）。図１では、審査者ＥＭ１は、変更後広告ＰＧ１１を許可する、すなわち広告として配信して良いとの審査結果を広告配信装置２００へ送信する。
【００２８】
審査者ＥＭ１から審査結果を受信した広告配信装置２００は、広告主ＡＣ１へ審査結果を通知する（ステップＳ１９）。具体的には、広告配信装置２００は、広告主ＡＣ１が利用する広告主端末２０へ変更後広告ＰＧ１１を許可するとの審査結果を通知する。
【００２９】
また、広告配信装置２００は、ユーザＵ１が利用するユーザ端末１０へ広告を配信する（ステップＳ２０）。具体的には、広告配信装置２００は、ユーザＵ１が利用するユーザ端末１０へ変更後広告ＰＧ１１を配信する。
【００３０】
上述したように、審査システム１は、事前審査装置１００による事前審査によって、広告主に不可理由を含めた事前結果を提示することができる。すなわち、審査システム１においては、広告主や広告制作者は、広告を広告配信装置２００に入稿する前に、その広告が審査に関する基準を満たすかを把握することが可能となる。そのため、審査システム１は、広告配信装置２００への入稿後に審査不許可となり、再度広告を作り直す可能性を低減させることができる、すなわち、審査システム１は、コンテンツ作成者の負担の増大を抑制する。
【００３１】
なお、ステップＳ１７において、広告配信装置２００は、変更後広告ＰＧ１１のみを審査者ＥＭ１が利用する審査者端末３０に送信し、変更後広告ＰＧ１１の審査を依頼してもよい。この場合、審査システム１は、ステップＳ１５及びステップＳ１６の処理を行わなくてもよい。また、上記例の審査システム１においては、コンテンツの一例として、画像広告の場合を示したが、コンテンツは画像広告に限らず、動画広告や広告以外の画像や動画など種々のコンテンツを対象に審査処理を行ってもよい。
【００３２】
〔２．事前審査装置の構成〕
次に、図２を用いて、実施形態に係る事前審査装置１００の構成について説明する。図２は、実施形態に係る事前審査装置１００の構成例を示す図である。図２に示すように、事前審査装置１００は、通信部１１０と、記憶部１２０と、制御部１３０とを有する。なお、事前審査装置１００は、事前審査装置１００の管理者等から各種操作を受け付ける入力部（例えば、キーボードやマウス等）や、各種情報を表示するための表示部（例えば、液晶ディスプレイ等）を有してもよい。
【００３３】
（通信部１１０）
通信部１１０は、例えば、ＮＩＣ（Network  Interface  Card）等によって実現される。そして、通信部１１０は、ネットワークと有線または無線で接続され、ユーザ端末１０との間で情報の送受信を行う。
【００３４】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、審査履歴情報記憶部１２１と、不可理由情報記憶部１２２とを有する。
【００３５】
（審査履歴情報記憶部１２１）
実施形態に係る審査履歴情報記憶部１２１は、事前審査に関する各種情報を記憶する。図３に、実施形態に係る審査履歴情報記憶部１２１の一例を示す。図３に示す審査履歴情報記憶部１２１は、「審査ＩＤ」、「審査コンテンツ」、「コンテンツＩＤ」、「ＮＧ理由」、「提供元ＩＤ」といった項目を有する。
【００３６】
「審査ＩＤ」は、審査を識別するための識別情報を示す。また、「審査コンテンツ」は、対応する審査ＩＤにより識別される審査において審査されたコンテンツを示す。図３では、説明のため事前審査されたコンテンツを図示するが、「審査コンテンツ」としては、コンテンツの格納場所を示すファイルパス名などが格納されてもよい。「コンテンツＩＤ」は、コンテンツを識別するための識別情報を示す。「ＮＧ理由」は、対応する審査ＩＤにより識別される審査において、コンテンツが不可となった理由を示す。なお、図１及び図３では説明のために、「ＮＧ理由」に「薬事」などの文字を記憶する場合を示したが、「ＮＧ理由」には、不可の理由を識別する理由ＩＤ等が記憶されてもよい。
【００３７】
例えば、図３に示す例において、審査ＩＤ「ＰＲ１１」においては、コンテンツＩＤ「ＲＧ１１」により識別されるコンテンツ（広告）が審査されたことを示す。また、コンテンツＩＤ「ＲＧ１１」により識別されるコンテンツは、商品「薬Ａ」に関するコンテンツであり、ＮＧ理由が「薬事」であることを示す。
【００３８】
なお、審査履歴情報記憶部１２１は、上記に限らず、目的に応じて種々の情報を記憶してもよい。例えば、審査履歴情報記憶部１２１は、コンテンツのカテゴリに関する情報を記憶してもよい。また、例えば、審査履歴情報記憶部１２１は、コンテンツを取得した日時やコンテンツが作成された日時に関する情報を記憶してもよい。
【００３９】
（不可理由情報記憶部１２２）
実施形態に係る不可理由情報記憶部１２２は、事前審査における不可理由に関する各種情報を記憶する。図４に、実施形態に係る不可理由情報記憶部１２２の一例を示す。図４に示す不可理由情報記憶部１２２は、「理由ＩＤ」、「理由」、「提示文」といった項目を有する。
【００４０】
「理由ＩＤ」は、事前審査における不可理由を識別するための識別情報を示す。「理由」は、対応する理由ＩＤにより識別される具体的な理由を示す。また、「提示文」は、事前審査を依頼した依頼主に提示する定型文を示す。これにより、事前審査装置１００は、事前審査の依頼主に理由を提示する負荷を抑制することができる。
【００４１】
例えば、図４に示す例において、理由ＩＤ「ＲＳ１１」により識別される理由は、「薬事」に関する理由であることを示す。また、理由ＩＤ「ＲＳ１１」により識別される理由で事前審査が不可になった場合に、依頼主に提示する提示文は「薬事法に違反している可能性があります。」であることを示す。
【００４２】
なお、不可理由情報記憶部１２２は、上記に限らず、目的に応じて種々の情報を記憶してもよい。
【００４３】
（制御部１３０）
図２の説明に戻って、制御部１３０は、例えば、ＣＰＵ（Central  Processing  Unit）やＭＰＵ（Micro  Processing  Unit）等によって、事前審査装置１００内部の記憶装置に記憶されている各種プログラム（審査プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４４】
図２に示すように、制御部１３０は、受付部１３１と、事前審査部１３２と、提示部１３３と、送信部１３４とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００４５】
（受付部１３１）
受付部１３１は、入稿前におけるコンテンツの事前審査の依頼を受け付ける。また、受付部１３１は、配信先の所定の表示領域に表示されるコンテンツの事前審査の依頼を受け付ける。例えば、受付部１３１は、ウェブページ中に表示されるコンテンツとして入稿前コンテンツの事前審査の依頼を受け付ける。また、例えば、受付部１３１は、入稿前広告の事前審査の依頼を受け付ける。
【００４６】
例えば、受付部１３１は、動画または画像を含むコンテンツの事前審査の依頼を受け付ける。また、例えば、受付部１３１は、遷移先を含むコンテンツの事前審査の依頼を受け付ける。例えば、受付部１３１は、遷移先であるコンテンツのリンク先を含むコンテンツの事前審査の依頼を受け付ける。また、受付部１３１は、複数のコンテンツの事前審査の依頼を受け付けてもよい。なお、複数のコンテンツの事前審査の依頼を受け付ける場合については後述する。
【００４７】
（事前審査部１３２）
事前審査部１３２は、受付部１３１により受け付けられたコンテンツの事前審査を行う。例えば、事前審査部１３２は、所定のルールに基づいて事前審査を行う。図１では、事前審査部１３２は、入稿前広告ＰＧ１０の事前審査を行う。例えば、事前審査部１３２は、審査履歴情報記憶部１２１に記憶された過去の事前審査の履歴情報に基づいて、入稿前広告ＰＧ１０を事前審査する。例えば、事前審査部１３２は、過去の事前審査の履歴情報と入稿前広告ＰＧ１０とを対比することにより、入稿前広告ＰＧ１０を事前審査する。
【００４８】
なお、事前審査部１３２は、禁止用語に関する情報や著作権等が発生しているキャラクタ等に関する情報に基づいて、入稿前広告ＰＧ１０を事前審査してもよい。例えば、事前審査部１３２は、種々の画像処理技術を適宜用いて、著作権等が発生しているキャラクタが入稿前広告ＰＧ１０に含まれるかを判定してもよい。また、事前審査部１３２は、所定の審査者ＥＭ１に事前審査を依頼することにより、事前審査を行ってもよい。なお、事前審査部１３２が所定の審査者ＥＭ１に事前審査を依頼する場合については後述する。
【００４９】
（提示部１３３）
提示部１３３は、所定の基準によるコンテンツの事前審査の結果に関する情報を提示する。また、提示部１３３は、コンテンツの事前審査の結果に関する情報として、コンテンツの事前審査の可否を提示する。また、提示部１３３は、コンテンツの事前審査の結果に関する情報として、コンテンツの事前審査内容に応じて複数の不可理由から選択される不可理由を提示する。例えば、提示部１３３は、不可理由情報記憶部１２２に記憶された複数の理由から、コンテンツの事前審査内容に基づいて選択した不可理由を提示する。図１では、提示部１３３は、理由ＩＤ「ＲＳ１２」により識別される理由「著作権」の提示文「他人の著作物を含んでいる可能性があります。」を広告主ＡＣ１に提示する。
【００５０】
また、提示部１３３は、コンテンツに関する審査履歴に基づくコンテンツの事前審査の結果に関する情報を提示する。図１では、提示部１３３は、事前審査を依頼された入稿前広告ＰＧ１０と同じ理由でＮＧとなった広告ＲＧ１２を提示する。また、提示部１３３は、コンテンツが類似する類似コンテンツに関する審査履歴に基づくコンテンツの事前審査の結果に関する情報を提示する。例えば、提示部１３３は、コンテンツが公序良俗に違反するとの不可理由を提示する場合、そのコンテンツに類似し、以前に公序良俗に違反するとの不可理由が通知された類似コンテンツに関する情報を提示してもよい。
【００５１】
また、提示部１３３は、遷移先を含むコンテンツに関する審査履歴に基づくコンテンツの事前審査の結果に関する情報を提示してもよい。提示部１３３は、遷移先であるコンテンツのリンク先を含むコンテンツに関する審査履歴に基づくコンテンツの事前審査の結果に関する情報を提示してもよい。
【００５２】
（送信部１３４）
送信部１３４は、外部の情報処理装置へ各種情報を送信する。例えば、送信部１３４は、広告配信装置２００からの事前審査情報の要求に応じて、広告配信装置２００へ事前審査情報を送信する。例えば、送信部１３４は、広告配信装置２００からコンテンツを識別する情報を受け付けた場合、対応するコンテンツを広告配信装置２００へ送信する。図１では、送信部１３４は、広告配信装置２００へ入稿前広告ＰＧ１０の事前審査情報を送信する。具体的には、送信部１３４は、入稿前広告ＰＧ１０自体（つまり画像）や入稿前広告ＰＧ１０の不可理由等を、入稿前広告ＰＧ１０の事前審査情報として広告配信装置２００へ送信する。
【００５３】
〔３．広告配信装置の構成〕
次に、図５を用いて、実施形態に係る広告配信装置２００の構成について説明する。図５は、実施形態に係る広告配信装置２００の構成例を示す図である。図５に示すように、広告配信装置２００は、通信部２１０と、記憶部２２０と、制御部２３０とを有する。なお、広告配信装置２００は、広告配信装置２００の管理者等から各種操作を受け付ける入力部（例えば、キーボードやマウス等）や、各種情報を表示するための表示部（例えば、液晶ディスプレイ等）を有してもよい。
【００５４】
（通信部２１０）
通信部２１０は、例えば、ＮＩＣ（Network  Interface  Card）等によって実現される。そして、通信部２１０は、ネットワークと有線または無線で接続され、ユーザ端末１０との間で情報の送受信を行う。
【００５５】
（記憶部２２０）
記憶部２２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部２２０は、図５に示すように、広告情報記憶部２２１を有する。
【００５６】
（広告情報記憶部２２１）
実施形態に係る広告情報記憶部２２１は、広告に関する各種情報を記憶する。図６に、実施形態に係る広告情報記憶部２２１の一例を示す。図６に示す広告情報記憶部２２１は、「広告ＩＤ」、「広告コンテンツ」、「広告主ＩＤ」、「コンテンツＩＤ」、「商品名」といった項目を有する。
【００５７】
「広告ＩＤ」は、広告を識別するための識別情報を示す。「広告コンテンツ」は、広告主から入稿された広告を示す。図６では、説明のため広告として入稿されたコンテンツを図示するが、「広告コンテンツ」としては、コンテンツの格納場所を示すファイルパス名などが格納されてもよい。「コンテンツＩＤ」は、入稿されたコンテンツを識別するための識別情報を示す。「広告主ＩＤ」は、広告主を識別するための識別情報を示す。
【００５８】
例えば、図６に示す例において、広告ＩＤ「Ａ１１」により識別される広告として配信されるコンテンツＲＧ１２１は、広告主ＩＤ「ＡＣ１０」により識別される広告主が入稿したコンテンツであることを示す。また、広告ＩＤ「Ａ１１」により識別される広告は、商品「ビールＡ」に関する広告であることを示す。
【００５９】
なお、広告情報記憶部２２１は、上記に限らず、目的に応じて種々の情報を記憶してもよい。例えば、広告情報記憶部２２１は、入札価格に関する情報等を記憶してもよい。また、例えば、広告情報記憶部２２１は、広告の対象となる商品名やサービス名等を記憶してもよい。
【００６０】
（制御部２３０）
図５の説明に戻って、制御部２３０は、例えば、ＣＰＵやＭＰＵ等によって、広告配信装置２００内部の記憶装置に記憶されている各種プログラム（審査プログラムにおける入稿時審査処理部分の一例に相当）がＲＡＭを作業領域として実行されることにより実現される。また、制御部２３０は、例えば、ＡＳＩＣやＦＰＧＡ等の集積回路により実現される。
【００６１】
図５に示すように、制御部２３０は、入稿受付部２３１と、送信部２３２と、受信部２３３と、通知部２３４と、要求受付部２３５と、配信部２３６とを有し、以下に説明する情報処理の機能や作用を実現または実行する。なお、制御部２３０の内部構成は、図５に示した構成に限られず、後述する情報処理を行う構成であれば他の構成であってもよい。また、制御部２３０が有する各処理部の接続関係は、図５に示した接続関係に限られず、他の接続関係であってもよい。
【００６２】
（入稿受付部２３１）
入稿受付部２３１は、コンテンツの入稿を受け付ける。例えば、入稿受付部２３１は、広告の入稿を受け付ける。図１では、入稿受付部２３１は、変更後広告ＰＧ１１の入稿を受け付ける。また、例えば、入稿受付部２３１は、変更後広告ＰＧ１１の入稿の際に、広告主ＡＣ１から変更後広告ＰＧ１１とともに入稿前広告ＰＧ１０を識別する情報を受け付けてもよい。
【００６３】
（送信部２３２）
送信部２３２は、外部の情報処理装置へ各種情報を送信する。例えば、送信部２３２は、入稿を受け付けたコンテンツに関する事前審査情報を要求する情報を事前審査装置１００へ送信する。図１では、例えば、送信部２３２は、入稿受付部２３１が受け付けた入稿前広告ＰＧ１０を識別する情報を送信することにより、変更後広告ＰＧ１１に関する事前審査情報を事前審査装置１００へ要求してもよい。
【００６４】
また、送信部２３２は、審査者ＥＭ１に審査の要求を送信する。例えば、送信部２３２は、変更後広告ＰＧ１１、入稿前広告ＰＧ１０、及びその不可理由等を審査者ＥＭ１が利用する審査者端末３０に送信し、変更後広告ＰＧ１１の審査を依頼する。
【００６５】
（受信部２３３）
受信部２３３は、外部の情報処理装置から各種情報を受信する。例えば、受信部２３３は、入稿を受け付けたコンテンツに関する事前審査情報を事前審査装置１００から受信する。図１では、例えば、受信部２３３は、入稿前広告ＰＧ１０自体（つまり画像）や入稿前広告ＰＧ１０の不可理由等を、入稿前広告ＰＧ１０の事前審査情報として事前審査装置１００から受信する。
【００６６】
また、受信部２３３は、審査者ＥＭ１から審査結果を受信する。例えば、受信部２３３は、審査者ＥＭ１が利用する審査者端末３０から審査結果を受信する。図１では、受信部２３３は、審査者ＥＭ１から変更後広告ＰＧ１１の審査結果を受信する。例えば、受信部２３３は、変更後広告ＰＧ１１を許可する、すなわち広告として配信して良いとの審査結果を受信する。
【００６７】
（通知部２３４）
通知部２３４は、入稿されたコンテンツである入稿コンテンツの審査結果を通知する。例えば、通知部２３４は、入稿コンテンツに関する事前審査履歴に基づいて、入稿コンテンツを審査した審査結果に関する情報を通知する。図１では、通知部２３４は、受信部２３３が審査者ＥＭ１から受信した審査結果を広告主ＡＣ１へ通知する。例えば、通知部２３４は、広告主ＡＣ１が利用する広告主端末２０へ変更後広告ＰＧ１１を許可するとの審査結果を通知する。
【００６８】
また、通知部２３４は、過去の審査履歴に基づいて、入稿コンテンツを審査した審査結果に関する情報を通知してもよい。例えば、通知部２３４は、入稿コンテンツが類似する類似コンテンツに関する審査履歴に基づいて、入稿コンテンツを審査した審査結果に関する情報を通知してもよい。
【００６９】
（要求受付部２３５）
要求受付部２３５は、コンテンツの配信要求を受け付ける。例えば、要求受付部２３５は、広告の配信要求を受け付ける。例えば、要求受付部２３５は、ユーザ端末１０から広告の配信要求を受け付ける。
【００７０】
（配信部２３６）
配信部２３６は、外部の情報処理装置へ各種情報を配信する。例えば、配信部２３６は、ユーザ端末１０へコンテンツを配信する。例えば、配信部２３６は、ユーザ端末１０へ広告を配信する。図１では、配信部２３６は、ユーザＵ１が利用するユーザ端末１０へ広告を配信する。例えば、配信部２３６は、ユーザＵ１が利用するユーザ端末１０へ変更後広告ＰＧ１１を配信する。
【００７１】
〔４．審査処理のフロー〕
次に、図７及び図８を用いて、実施形態に係る審査システム１による審査処理の手順について説明する。図７は、実施形態に係る事前審査処理の一例を示すフローチャートである。図８は、実施形態に係る入稿時の審査処理の一例を示すフローチャートである。
【００７２】
まず、図７を用いて審査システム１による事前審査処理について説明する。図７に示すように、事前審査装置１００の受付部１３１は、事前審査依頼を受け付ける（ステップＳ１０１）。例えば、受付部１３１は、広告主端末２０から事前審査依頼を受け付ける。
【００７３】
その後、事前審査装置１００の事前審査部１３２は、事前審査を行う（ステップＳ１０２）。例えば、事前審査部１３２は、ステップＳ１０１において受け付けたコンテンツ（広告）の事前審査を行う。
【００７４】
その後、事前審査装置１００の提示部１３３は、理由を含めた事前審査結果を提示する（ステップＳ１０３）。例えば、提示部１３３は、理由を含めた事前審査結果を広告主端末２０に提示する。
【００７５】
次に、図８を用いて審査システム１による入稿時審査処理について説明する。図８に示すように、広告配信装置２００の入稿受付部２３１は、広告の入稿を受け付ける（ステップＳ２０１）。例えば、入稿受付部２３１は、広告主端末２０から広告の入稿を受け付ける。
【００７６】
その後、広告配信装置２００の送信部２３２は、事前審査装置１００へ事前審査情報を要求する（ステップＳ２０２）。そして、広告配信装置２００の受信部２３３は、事前審査装置１００から事前審査情報を受信する（ステップＳ２０３）。
【００７７】
その後、送信部２３２は、審査者に入稿広告と事前審査情報とを送信して、審査を依頼する（ステップＳ２０４）。そして、受信部２３３は、審査者から審査結果を受信する（ステップＳ２０５）。広告配信装置２００の通知部２３４は、審査結果を通知する（ステップＳ２０６）。
【００７８】
〔５．複数のコンテンツの事前審査〕
なお、事前審査装置１００は、複数のコンテンツの事前審査を行ってもよい。この点について図９を用いて説明する。なお、図９においては、複数のコンテンツの事前審査の説明に必要な審査システム１の構成のみを示す。
【００７９】
図９に示すように、広告主ＡＣ１は、複数のコンテンツの事前審査の依頼を事前審査装置１００へ行う（ステップＳ２１）。具体的には、広告主ＡＣ１は、４つのＡコンテンツＣＴ１１、ＢコンテンツＣＴ１２、ＣコンテンツＣＴ１３、ＤコンテンツＣＴ１４の事前審査の依頼を事前審査装置１００へ行う。なお、以下では、４つのＡコンテンツＣＴ１１、ＢコンテンツＣＴ１２、ＣコンテンツＣＴ１３、ＤコンテンツＣＴ１４を区別しない場合、コンテンツＣＴ１１〜ＣＴ１４とする場合がある。
【００８０】
その後、事前審査装置１００は、４つのＡコンテンツＣＴ１１、ＢコンテンツＣＴ１２、ＣコンテンツＣＴ１３、ＤコンテンツＣＴ１４の事前審査を行う（ステップＳ２２）。なお、図９のステップＳ２２における各コンテンツＣＴ１１〜ＣＴ１４の事前審査は、図１に示すステップＳ１１の事前審査と同様に行われてもよい。
【００８１】
そして、事前審査装置１００は、各コンテンツＣＴ１１〜ＣＴ１４の事前審査の結果を広告主ＡＣ１に提示する（ステップＳ２３）。具体的には、事前審査装置１００は、ＢコンテンツＣＴ１２とＤコンテンツＣＴ１４との２つのコンテンツの結果がＯＫ（可）であること、及びＡコンテンツＣＴ１１とＣコンテンツＣＴ１３との２つのコンテンツの結果がＮＧ（不可）であることを、事前審査結果ＲＲ２１として広告主ＡＣ１に提示する。これにより、広告主ＡＣ１は、どのコンテンツが審査を通過しそうかを適切に判定できるため、実際に入稿するコンテンツを適切に決定することが可能となる。なお、事前審査装置１００は、各コンテンツＣＴ１１〜ＣＴ１４が不可となった理由も広告主ＡＣ１に提示してもよい。例えば、事前審査装置１００は、ＡコンテンツＣＴ１１が事前審査において不可となった理由とＣコンテンツＣＴ１３が事前審査において不可となった理由とを広告主ＡＣ１に提示してもよい。
【００８２】
〔６．事前審査における審査者への依頼〕
なお、事前審査装置１００は、事前審査において審査者に事前審査の依頼を行ってもよい。この点について図１０を用いて説明する。なお、図１０においては、事前審査における審査者への事前審査の依頼の説明に必要な審査システム１の構成のみを示す。
【００８３】
図１０に示すように、広告主ＡＣ１は、入稿前広告ＰＧ１０の事前審査の依頼を事前審査装置１００へ行う（ステップＳ３１）。
【００８４】
そして、事前審査の依頼を受け付けた事前審査装置１００は、所定の審査者ＥＭ１に事前審査を依頼する（ステップＳ３２）。具体的には、事前審査装置１００は、入稿前広告ＰＧ１０を審査者ＥＭ１が利用する審査者端末３０に送信し、入稿前広告ＰＧ１０の事前審査を依頼する。なお、事前審査装置１００は、審査履歴情報記憶部１２１に記憶された情報や不可理由情報記憶部１２２に記憶された情報を審査者ＥＭ１が利用可能な状態にしてもよい。例えば、事前審査装置１００は、審査者ＥＭ１が利用する審査者端末３０が、審査履歴情報記憶部１２１に記憶された情報や不可理由情報記憶部１２２に記憶された情報を取得可能な状態にしてもよい。事前審査装置１００は、審査者ＥＭ１が利用する審査者端末３０に、審査履歴情報記憶部１２１に記憶された情報や不可理由情報記憶部１２２に記憶された情報を送信してもよい。
【００８５】
事前審査装置１００から事前審査の依頼を受け付けた審査者ＥＭ１は、所定の基準に基づいて入稿前広告ＰＧ１０を事前審査する。例えば、審査者ＥＭ１は、審査履歴情報記憶部１２１に記憶された情報や不可理由情報記憶部１２２に記憶された情報を参照しながら、入稿前広告ＰＧ１０の事前審査を行う。その後、審査者ＥＭ１は、入稿前広告ＰＧ１０の事前審査結果を事前審査装置１００へ送信する（ステップＳ３３）。
【００８６】
図１０では、審査者ＥＭ１は、入稿前広告ＰＧ１０がＮＧ（不可）であること示す事前審査結果を事前審査装置１００へ送信する。また、審査者ＥＭ１は、入稿前広告ＰＧ１０がＮＧである理由も事前審査装置１００へ送信する。具体的には、審査者ＥＭ１は、入稿前広告ＰＧ１０に他人が著作権を有するキャラクタＣＷ１０が含まれるため入稿前広告ＰＧ１０がＮＧであるという理由を事前審査装置１００へ送信する。なお、審査者ＥＭ１は、審査結果に対応する理由ＩＤを事前審査装置１００へ送信してもよい。
【００８７】
その後、事前審査装置１００は、事前審査の結果が不可であること、理由「著作物ＣＷ１０を含んでいます」の提示文を、事前審査結果ＲＲ３１として広告主ＡＣ１に提示する（ステップＳ３４）。具体的には、事前審査装置１００は、事前審査結果ＲＲ３１を広告主ＡＣ１が利用する広告主端末２０に送信する。これにより、広告主ＡＣ１は、どのような理由で入稿前広告ＰＧ１０が事前審査において不可と判定されたかを把握できる。すなわち、広告主ＡＣ１は、入稿前広告ＰＧ１０を適切に変更して、入稿時審査を通過できるような広告を作成することが可能となる。また、事前審査装置１００は、不可理由情報記憶部１２２に記憶された複数の理由から、コンテンツの事前審査内容に基づいて選択した不可理由を提示することにより、理由を提示するための負荷を低減することができる。なお、審査システム１は、広告主ＡＣ１に直接審査者ＥＭ１とやり取りする機会を提供してもよい。例えば、審査システム１は、広告主ＡＣ１に直接審査者ＥＭ１とインスタントメッセージ等の送受信を許可してもよい。これにより、広告主ＡＣ１は、より具体的に事前審査の不可理由を把握することができるため、入稿時審査を通過できるような広告を作成することが可能となる。
【００８８】
なお、事前審査装置１００は、コンテンツの事前審査の依頼を受け付ける際に、事前審査装置１００による簡易的な事前審査か、所定の審査者ＥＭ１による事前審査かを選択させてもよい。これにより、コンテンツの提供元である広告主やコンテンツ作成者は、コンテンツの作成段階に応じた事前審査を受けることができる。例えば、コンテンツ作成者は、発注元へのプレゼン前に複数のコンテンツの事前審査を行う場合は、事前審査装置１００による簡易的な事前審査を選択し、実際にプレゼンするコンテンツを選定することができる。また、広告主は、実際に入稿する前に所定の審査者ＥＭ１による事前審査を受けることにより、入稿後審査において広告が不許可となる可能性を低減することができる。
【００８９】
〔７．変形例〕
上述した実施形態に係る審査システム１は、上記実施形態以外にも種々の異なる形態にて実施されてよい。そこで、以下では、審査システム１の他の実施形態について説明する。例えば、審査システムにおける事前審査で可を判定された場合、その情報を付与情報として事前審査したコンテンツに付与してもよい。この点について、図１１及び図１２を用いて説明する。また、以下の変形例において実施形態と同一の部位には同一の符号を付し、重複する説明は省略される。
【００９０】
〔７−１．審査処理〕
まず、図１１を用いて、変形例に係る審査処理の一例について説明する。図１１は、変形例に係る審査処理の一例を示す図である。図１１に示す審査システム２において、事前審査装置１００Ａは、入稿前コンテンツの事前審査の結果を付与情報として入稿前コンテンツに付与するサービスを提供する。具体的には、事前審査装置１００Ａは、コンテンツの審査結果に関する情報であって、他サービスにおいて審査結果を利用可能にする情報をコンテンツに付加する。なお、図１１では、事前審査において可と判定されたコンテンツへ付与情報を付与する例の説明のため、広告主ＡＣ１が事前審査装置１００Ａに変更後広告ＰＧ１１の事前審査を依頼する場合を示す。
【００９１】
図１１に示すように、審査システム２には、広告主端末２０と、事前審査装置１００Ａと、他サービス提供装置３００とが含まれる。広告主端末２０と、事前審査装置１００Ａと、他サービス提供装置３００とは図示しない所定のネットワークＮ（図１３参照）を介して、有線または無線により通信可能に接続される。なお、図１１に示した審査システム２には、複数台の広告主端末２０や、複数台の事前審査装置１００Ａや、複数台の他サービス提供装置３００が含まれてもよい。また、図示することは省略するが、審査システム２には、審査システム１と同様にユーザ端末１０や審査者端末３０や広告配信装置２００が含まれてもよい。
【００９２】
他サービス提供装置３００は、例えばコンテンツ配信等の所定のサービスを提供する情報処理装置である。また、例えば、他サービス提供装置３００が提供するサービスの提供元は、事前審査装置１００Ａによるサービスを提供する提供元とは別の提供元であるものとする。
【００９３】
図１１に示すように、広告主ＡＣ１は、変更後広告ＰＧ１１の事前審査の依頼を事前審査装置１００Ａへ行う（ステップＳ４１）。その後、事前審査装置１００Ａは、変更後広告ＰＧ１１の事前審査を行う（ステップＳ４２）。図１１では、事前審査装置１００Ａは、事前審査により変更後広告ＰＧ１１を可と判定する。
【００９４】
その後、事前審査装置１００Ａは、変更後広告ＰＧ１１に情報を付与する（ステップＳ４３）。具体的には、事前審査装置１００Ａは、変更後広告ＰＧ１１に審査結果が可であることを示す付与情報を付与する。なお、以下では、審査結果が可であることを示す付与情報ＧＩ４１が付与された変更後広告ＰＧ１１を変更後広告ＰＧ１１１とする。図１１では、説明のため付与情報ＧＩ４１が視認可能に図示しているが、付与情報ＧＩ４１は、変更後広告ＰＧ１１にデータとして付与されていればよく、付与情報ＧＩ４１は視認可能でなくてもよい。例えば、事前審査装置１００Ａは、ステガノグラフィ等の種々の技術を適宜用いて、変更後広告ＰＧ１１に審査結果が可であることを示す付与情報ＧＩ４１を付与する。
【００９５】
その後、事前審査装置１００Ａは、事前審査の結果が可である情報とともに付与情報ＧＩ４１が付与された変更後広告ＰＧ１１１を広告主ＡＣ１へ提示する（ステップＳ４４）。具体的には、事前審査装置１００Ａは、変更後広告ＰＧ１１１を広告主ＡＣ１が利用する広告主端末２０へ送信する。
【００９６】
その後、広告主ＡＣ１は、変更後広告ＰＧ１１１を他サービス提供装置３００へ入稿する（ステップＳ４５）。そして、他サービス提供装置３００は、変更後広告ＰＧ１１１に情報が付与されているかを確認する（ステップＳ４６）。図１１では、変更後広告ＰＧ１１１には、審査結果が可であることを示す付与情報ＧＩ４１が付与されているため、他サービス提供装置３００は、付与情報ＧＩ４１に基づいて審査することなく配信を許可すると判定する。そして、他サービス提供装置３００は、審査結果を広告主ＡＣ１へ通知する（ステップＳ４７）。具体的には、他サービス提供装置３００は、変更後広告ＰＧ１１１を配信許可とする審査結果を広告主ＡＣ１の利用する広告主端末２０へ通知する。そして、他サービス提供装置３００は、例えばユーザ端末１０等へ変更後広告ＰＧ１１１を配信する。
【００９７】
これにより、審査システム２においては、事前審査装置１００Ａが事前審査の結果をコンテンツに付与することにより、他サービス提供装置３００における審査の負荷を軽減することができる。なお、図１１に示す例においては、事前審査結果が可である場合を示したが、事前審査装置１００Ａは、事前審査結果が不可である場合もコンテンツに付与情報を付加してもよい。また、図１１に示す例においては、他サービス提供装置３００が付与情報ＧＩ４１に基づいて審査することなく配信を許可する例を示したが、他サービス提供装置３００は、付与情報ＧＩ４１に基づいて審査する項目数を減らす等して、簡易的な審査を行ってもよい。
【００９８】
〔７−２．事前審査装置の構成〕
次に、図１２を用いて、変形例に係る事前審査装置１００Ａの構成について説明する。図１２は、変形例に係る事前審査装置１００Ａの構成例を示す図である。図１２に示すように、事前審査装置１００Ａは、通信部１１０と、記憶部１２０と、制御部１３０Ａとを有する。なお、事前審査装置１００Ａは、事前審査装置１００Ａの管理者等から各種操作を受け付ける入力部（例えば、キーボードやマウス等）や、各種情報を表示するための表示部（例えば、液晶ディスプレイ等）を有してもよい。
【００９９】
（制御部１３０Ａ）
制御部１３０Ａは、例えば、ＣＰＵやＭＰＵ等によって、事前審査装置１００Ａ内部の記憶装置に記憶されている各種プログラム（審査プログラムの一例に相当）がＲＡＭを作業領域として実行されることにより実現される。また、制御部１３０Ａは、例えば、ＡＳＩＣやＦＰＧＡ等の集積回路により実現される。
【０１００】
図１２に示すように、制御部１３０Ａは、受付部１３１と、事前審査部１３２と、提示部１３３と、送信部１３４と、付与部１３５とを有し、以下に説明する情報処理の機能や作用を実現または実行する。なお、制御部１３０Ａの内部構成は、図１２に示した構成に限られず、後述する情報処理を行う構成であれば他の構成であってもよい。また、制御部１３０Ａが有する各処理部の接続関係は、図１２に示した接続関係に限られず、他の接続関係であってもよい。
【０１０１】
（付与部１３５）
付与部１３５は、コンテンツの審査結果に関する情報であって、他サービスにおいて審査結果を利用可能にする情報をコンテンツに付加する。例えば、付与部１３５は、広告の審査結果に関する情報であって、他サービスにおいて審査結果を利用可能にする情報を広告に付加する。図１１では、付与部１３５は、変更後広告ＰＧ１１に情報を付与する。具体的には、付与部１３５は、変更後広告ＰＧ１１に審査結果が可であることを示す付与情報ＧＩ４１を付与する。例えば、付与部１３５は、ステガノグラフィ等の種々の技術を適宜用いて、変更後広告ＰＧ１１に審査結果が可であることを示す付与情報ＧＩ４１を付与する。
【０１０２】
〔８．効果〕
上述してきたように、実施形態に係る審査システム１及び変形例に係る審査システム２は、受付部１３１と、提示部１３３とを有する。受付部１３１は、入稿前におけるコンテンツ（実施形態において「広告」。以下同じ）の事前審査の依頼を受け付ける。提示部１３３は、所定の基準によるコンテンツの事前審査の結果に関する情報を提示する。
【０１０３】
これにより、実施形態に係る審査システム１及び変形例に係る審査システム２は、事前審査装置１００、１００Ａによる事前審査によって、コンテンツの提供主に不可理由を含めた事前結果を提示することができる。すなわち、審査システム１、２においては、広告主や広告制作者は、広告を広告配信装置２００に入稿する前に、その広告が審査に関する基準を満たすかを把握することが可能となる。そのため、審査システム１、２は、広告配信装置２００への入稿後に審査不許可となり、再度広告を作り直す可能性を低減させることができる。すなわち、審査システム１、２は、コンテンツ作成者の負担の増大を抑制することができる。
【０１０４】
また、実施形態に係る審査システム１及び変形例に係る審査システム２において、受付部１３１は、所定の表示領域に表示される前記コンテンツの事前審査の依頼を受け付ける。
【０１０５】
これにより、実施形態に係る審査システム１及び変形例に係る審査システム２は、例えばウェブページ等の所定の表示領域に表示されるコンテンツの事前審査の依頼を受け付けることができ、事前審査によりコンテンツの提供元が入稿前にそのコンテンツが所定の表示領域に表示可能かどうかを把握することができる。
【０１０６】
また、実施形態に係る審査システム１及び変形例に係る審査システム２において、提示部１３３は、コンテンツの事前審査の結果に関する情報として、コンテンツの事前審査内容に応じて複数の不可理由から選択される不可理由を提示する。
【０１０７】
これにより、実施形態に係る審査システム１及び変形例に係る審査システム２は、コンテンツの事前審査の理由を提示することができ、かつ予め用意した選択肢から理由を選択することによりシステムや審査者等の負荷を低減することができる。
【０１０８】
また、実施形態に係る審査システム１及び変形例に係る審査システム２において、提示部１３３は、コンテンツに関する審査履歴に基づくコンテンツの事前審査の結果に関する情報を提示する。
【０１０９】
これにより、実施形態に係る審査システム１及び変形例に係る審査システム２は、コンテンツの事前審査の可否を提示することができ、提示を受けたコンテンツの提供元は、過去の審査結果を参照しながらコンテンツを変更することができる。
【０１１０】
また、実施形態に係る審査システム１及び変形例に係る審査システム２において、提示部１３３は、コンテンツが類似する類似コンテンツに関する審査履歴に基づくコンテンツの事前審査の結果に関する情報を提示する。
【０１１１】
これにより、実施形態に係る審査システム１及び変形例に係る審査システム２は、コンテンツの事前審査の可否を提示することができ、提示を受けたコンテンツの提供元は、類似のコンテンツの審査結果を参照しながらコンテンツを変更することができる。
【０１１２】
また、実施形態に係る審査システム１及び変形例に係る審査システム２において、受付部１３１は、動画または画像を含むコンテンツの事前審査の依頼を受け付ける。
【０１１３】
これにより、実施形態に係る審査システム１及び変形例に係る審査システム２は、動画または画像を含むコンテンツの事前審査の可否を提示することができる。
【０１１４】
また、実施形態に係る審査システム１及び変形例に係る審査システム２において、受付部１３１は、遷移先を含むコンテンツの事前審査の依頼を受け付ける。また、提示部１３３は、遷移先を含むコンテンツに関する審査履歴に基づくコンテンツの事前審査の結果に関する情報を提示する。
【０１１５】
これにより、実施形態に係る審査システム１及び変形例に係る審査システム２は、コンテンツからの遷移先を含むコンテンツの事前審査の可否を提示することができる。
【０１１６】
また、変形例に係る審査システム２は、付与部１３５を有する。付与部１３５は、コンテンツの審査結果に関する情報であって、他サービスにおいて審査結果を利用可能にする情報をコンテンツに付加する。
【０１１７】
これにより、変形例に係る審査システム２は、事前審査の情報を他サービスにおいても容易に利用可能にし、他サービスにおける審査の負荷を軽減することができる。
【０１１８】
また、実施形態に係る審査システム１及び変形例に係る審査システム２において、受付部１３１は、コンテンツとして広告の事前審査の依頼を受け付ける。
【０１１９】
これにより、実施形態に係る審査システム１及び変形例に係る審査システム２は、広告の事前審査の可否を提示することができ、提示を受けた広告主等は、入稿時審査を通過するように広告を変更することができる。
【０１２０】
また、実施形態に係る審査システム１及び変形例に係る審査システム２において、受付部１３１は、複数のコンテンツの事前審査の依頼を受け付ける。
【０１２１】
これにより、実施形態に係る審査システム１及び変形例に係る審査システム２は、複数のコンテンツの事前審査の可否を提示することができ、提示を受けたコンテンツの提供元は、各コンテンツの審査結果を比較しながら、実際に入稿するコンテンツを選定したり、各コンテンツを変更したりすることができる。
【０１２２】
また、実施形態に係る審査システム１は、入稿受付部２３１と、通知部２３４とを有する。入稿受付部２３１は、コンテンツの入稿を受け付ける。通知部２３４は、入稿されたコンテンツである入稿コンテンツの審査結果を通知する。
【０１２３】
これにより、実施形態に係る審査システム１は、入稿を受け付けたコンテンツ審査の可否を提示することができる。
【０１２４】
また、実施形態に係る審査システム１において、通知部２３４は、入稿コンテンツに関する事前審査履歴に基づいて、入稿コンテンツを審査した審査結果に関する情報を通知する。
【０１２５】
これにより、実施形態に係る審査システム１は、事前審査の結果を利用して審査を行うことができるため、審査の負荷を軽減することができる。
【０１２６】
また、実施形態に係る審査システム１において、通知部２３４は、過去の審査履歴に基づいて、入稿コンテンツを審査した審査結果に関する情報を通知する。
【０１２７】
これにより、実施形態に係る審査システム１は、過去の審査履歴を利用して審査を行うことができるため、審査の負荷を軽減することができる。
【０１２８】
また、実施形態に係る審査システム１において、通知部２３４は、入稿コンテンツが類似する類似コンテンツに関する審査履歴に基づいて、入稿コンテンツを審査した審査結果に関する情報を通知する。
【０１２９】
これにより、実施形態に係る審査システム１は、類似するコンテンツの審査履歴を利用して審査を行うことができるため、審査の負荷を軽減することができる。
【０１３０】
〔９．ハードウェア構成〕
上述してきた実施形態に係る事前審査装置１００及び広告配信装置２００や、変形例に係る事前審査装置１００Ａは、例えば図１３に示すような構成のコンピュータ１０００によって実現される。図１３は、事前審査装置及び広告配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１３１】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１３２】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１３３】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１３４】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１３５】
例えば、コンピュータ１０００が実施形態に係る事前審査装置１００及び広告配信装置２００や、変形例に係る事前審査装置１００Ａとして機能する場合、コンピュータ１０００のＣＰＵ１１００は、ＲＡＭ１２００上にロードされたプログラムを実行することにより、制御部１３０、１３０Ａの機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１３６】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１３７】
〔１０．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３９】
また、上述してきた実施形態及び変形例は、処理内容を矛盾させない範囲で適宜組み合わせることが可能である。
【０１４０】
また、上述してきた「部（section、module、unit）」は、「手段」や「回路」などに読み替えることができる。例えば、受付部は、受付手段や受付回路に読み替えることができる。
【符号の説明】
【０１４１】
１  審査システム
１００  事前審査装置
１２１  審査履歴情報記憶部
１２２  不可理由情報記憶部
１３０  制御部
１３１  受付部
１３２  事前審査部
１３３  提示部
１３４  送信部
２００  広告配信装置（入稿時審査装置）
２２１  広告情報記憶部
２３０  制御部
２３１  入稿受付部
２３２  送信部
２３３  受信部
２３４  通知部
２３５  要求受付部
２３６  配信部
１０  ユーザ端末
２０  広告主端末
３０  審査者端末
Ｎ  ネットワーク
【図１】
0006736455.tif 000002
【図２】
0006736455.tif 000003
【図３】
0006736455.tif 000004
【図４】
0006736455.tif 000005
【図５】
0006736455.tif 000006
【図６】
0006736455.tif 000007
【図７】
0006736455.tif 000008
【図８】
0006736455.tif 000009
【図９】
0006736455.tif 000010
【図１０】
0006736455.tif 000011
【図１１】
0006736455.tif 000012
【図１２】
0006736455.tif 000013
【図１３】
0006736455.tif 000014